(57)【特許請求の範囲】
【請求項１】
短距離無線通信によりコンテンツデータを受信するコンテンツデータ受信手段と、
他のデータを出力中に、該コンテンツデータ受信手段にて受信したコンテンツデータを記憶させて、該記憶させたコンテンツデータを、該他のデータよりも優先的に出力するように制御するコンテンツデータ制御手段と、
コンテンツデータを受信した時、自装置がコンテンツデータを画像および音声として出力できる状態にあるか否かを確認し、否であった場合は自装置がコンテンツデータを画像および音声として出力できる状態とし、また、それまで他のデータを出力中であった場合は、該他のデータの種類を判別することにより、他のデータの種類ごとに予め定められた、他のデータの出力に代わる処理を行う処理手段と、を備えていることを特徴とするコンテンツデータ出力装置。
【請求項２】
外部の機器より、コンテンツデータを受信するコンテンツデータ受信手段と、
他のデータを出力中に、該コンテンツデータ受信手段にて受信したコンテンツデータを記憶させて、該記憶させたコンテンツデータを、上記外部の機器を操作したユーザに提供するよう、該他のデータよりも優先的に出力するように制御するコンテンツデータ制御手段と、
コンテンツデータを受信した時、自装置がコンテンツデータを画像および音声として出力できる状態にあるか否かを確認し、否であった場合は自装置がコンテンツデータを画像および音声として出力できる状態とし、また、それまで他のデータを出力中であった場合は、該他のデータの種類を判別することにより、他のデータの種類ごとに予め定められた、他のデータの出力に代わる処理を行う処理手段と、を備えていることを特徴とするコンテンツデータ出力装置。
【請求項３】
上記処理手段はさらに、上記コンテンツデータを受信した時、上記コンテンツデータの送信元を操作するユーザからの、上記コンテンツデータを後で表示する旨の指示があった場合には、それまで出力中であった他のデータを引き続き出力することを特徴とする請求項１または２に記載のコンテンツデータ出力装置。
【請求項４】
コンテンツデータ出力装置自身またはコンテンツデータ出力装置自身に接続された装置にてビデオを再生可能となっており、上記処理手段は、上記コンテンツデータを受信した時に、ビデオの再生中であった場合、この再生中のビデオを停止、または、一時停止することを特徴とする請求項１または２に記載のコンテンツデータ出力装置。
【請求項５】
上記処理手段は、上記コンテンツデータの出力が終了すると、上記ビデオの停止、または、一時停止を解除することを特徴とする請求項４に記載のコンテンツデータ出力装置。
【請求項６】
テレビ放送を出力可能となっており、上記処理手段は、上記コンテンツデータを受信した時に、テレビ放送中であった場合、放送中のテレビの録画を開始することを特徴とする請求項１または２に記載のコンテンツデータ出力装置。
【請求項７】
上記処理手段は、上記コンテンツデータの出力が終了すると、上記録画したテレビの再生を開始することを特徴とする請求項６に記載のコンテンツデータ出力装置。
【請求項８】
短距離無線通信によりコンテンツデータを受信するコンテンツデータ受信手段と、
上記コンテンツデータの出力を制御するコンテンツデータ制御手段と、
指定されたテレビ番組の放送時間を記憶する指定番組記憶手段と、
コンテンツデータを受信した時、それまで出力中であった他のデータの種類を判別することにより、他のデータの種類ごとに予め定められた、他のデータの出力に代わる処理を行う処理手段と、を備え、
上記コンテンツデータ制御手段は、上記処理手段を用いて、
上記コンテンツデータ受信手段がコンテンツデータを受信した時に、自装置がコンテンツデータを画像および音声として出力できる状態にあるか否かを確認し、否であった場合は自装置がコンテンツデータを画像および音声として出力できる状態とし、また、上記指定番組記憶手段に記憶されている上記他のデータである、テレビ番組を出力中である場合には、上記受信したコンテンツデータを記憶させ、出力せず、
さらに、上記コンテンツデータ制御手段は、上記処理手段を用いて、
上記コンテンツデータ受信手段がコンテンツデータを受信した時に、自装置がコンテンツデータを画像および音声として出力できる状態にあるか否かを確認し、否であった場合は自装置がコンテンツデータを画像および音声として出力できる状態とし、また、上記指定番組記憶手段に記憶されている上記他のデータである、テレビ番組以外の他のデータを出力中である場合には、上記コンテンツデータ受信手段にて受信したコンテンツデータを記憶させて、該記憶させたコンテンツデータを、上記他のデータよりも優先的に出力するように制御することを特徴とするコンテンツデータ出力装置。
【請求項９】
外部の機器より、コンテンツデータを受信するコンテンツデータ受信手段と、
上記コンテンツデータの出力を制御するコンテンツデータ制御手段と、
指定されたテレビ番組の放送時間を記憶する指定番組記憶手段と、
コンテンツデータを受信した時、それまで出力中であった他のデータの種類を判別することにより、他のデータの種類ごとに予め定められた、他のデータの出力に代わる処理を行う処理手段と、を備え、
上記コンテンツデータ制御手段は、上記処理手段を用いて、
上記コンテンツデータ受信手段がコンテンツデータを受信した時に、自装置がコンテンツデータを画像および音声として出力できる状態にあるか否かを確認し、否であった場合は自装置がコンテンツデータを画像および音声として出力できる状態とし、また、上記指定番組記憶手段に記憶されている上記他のデータである、テレビ番組を出力中である場合には、上記受信したコンテンツデータを記憶させ、出力せず、
さらに、上記コンテンツデータ制御手段は、上記処理手段を用いて、
上記コンテンツデータ受信手段がコンテンツデータを受信した時に、自装置がコンテンツデータを画像および音声として出力できる状態にあるか否かを確認し、否であった場合は自装置がコンテンツデータを画像および音声として出力できる状態とし、また、上記指定番組記憶手段に記憶されている上記他のデータである、テレビ番組以外の他のデータを出力中である場合には、上記コンテンツデータ受信手段にて受信したコンテンツデータを記憶させて、該記憶させたコンテンツデータを、上記外部の機器を操作したユーザに提供するよう、上記他のデータよりも優先的に出力するように制御することを特徴とするコンテンツデータ出力装置。
【請求項１０】
上記コンテンツデータ受信手段にて受信したコンテンツデータを記憶するコンテンツデータ記憶手段をさらに備え、
上記指定されたテレビ番組の放送時間が過ぎると、上記出力しなかったコンテンツデータ記憶手段に記憶したコンテンツデータの出力を開始することを特徴とする請求項８または９に記載のコンテンツデータ出力装置。
【請求項１１】
上記コンテンツデータ受信手段にて受信したコンテンツデータを記憶するコンテンツデータ記憶手段をさらに備え、
上記コンテンツデータ制御手段は、上記コンテンツデータ記憶手段が記憶しているコンテンツデータを時間の間隔を空けて順次出力することを特徴とする請求項１または２に記載のコンテンツデータ出力装置。
【請求項１２】
上記コンテンツデータ制御手段は、上記コンテンツデータ受信手段が複数のコンテンツデータをまとめて受信した場合、この受信した複数のコンテンツデータのうち、一部または全部を、同一画面に出力することを特徴とする請求項１または２に記載のコンテンツデータ出力装置。
【請求項１３】
上記コンテンツデータ制御手段は、上記コンテンツデータ受信手段が複数の上記コンテンツデータをまとめて受信した場合、この受信した複数の上記コンテンツデータを時間の間隔を空けて順次出力することを特徴とする請求項１または２に記載のコンテンツデータ出力装置。
【請求項１４】
上記コンテンツデータ受信手段にて受信したコンテンツデータを記憶するコンテンツデータ記憶手段をさらに備え、
上記コンテンツデータ制御手段は、所定の条件により上記コンテンツデータ記憶手段に記憶している上記コンテンツデータを削除するコンテンツデータ削除手段を有していることを特徴とする請求項１または２に記載のコンテンツデータ出力装置。
【請求項１５】
テレビ放送を出力可能となっており、
上記テレビ放送のチャンネルのチャンネルリストには、上記コンテンツデータのリストも含まれており、
上記テレビ放送のチャンネルの切り替えによってコンテンツデータが選択可能であることを特徴とする請求項１または２に記載のコンテンツデータ出力装置。
【請求項１６】
上記コンテンツデータのリストの中からコンテンツデータを指定し、指定されたコンテンツデータが選択可能であることを特徴とする請求項１５に記載のコンテンツデータ出力装置。
【請求項１７】
上記コンテンツデータ受信手段は、コンテンツデータが上記コンテンツデータ出力装置に向かって発信された方向を判別するようになっていると共に、上記コンテンツデータ出力装置は、１つのディスプレイから異なる複数の方向に向けてコンテンツデータを表示させることによりコンテンツデータを複数の方向に表示し分けることが可能となっており、コンテンツデータが発信された方向とは反対の方向にはコンテンツデータを提示しないようになっていることを特徴とする請求項１または２に記載のコンテンツデータ出力装置。
【請求項１８】
上記コンテンツデータ受信手段は、コンテンツデータが上記コンテンツデータ出力装置に向かって発信された方向を判別するようになっていると共に、上記コンテンツデータ出力装置は、１つのディスプレイから異なる複数の方向に向けてコンテンツデータを表示させることによりコンテンツデータを複数の方向に表示し分けることが可能となっており、それぞれの方向から受信したコンテンツデータが、それぞれのコンテンツデータが上記コンテンツデータ出力装置に向かって発信された方向から見られるように、上記コンテンツデータをそれぞれの方向に表示することを特徴とする請求項１または２に記載のコンテンツデータ出力装置。
【請求項１９】
請求項１〜１８のいずれか１項に記載のコンテンツデータ出力装置を備えたことを特徴とするテレビ。
【請求項２０】
請求項１または２に記載のコンテンツデータ出力装置を動作させるためのコンテンツデータ出力プログラムであって、コンピュータを上記コンテンツデータ受信手段、およびコンテンツデータ制御手段として機能させるためのコンテンツデータ出力プログラム。
【発明の詳細な説明】
【技術分野】
【０００１】
本発明は、コンテンツデータの視聴可能なコンテンツデータ出力装置、それを備えたテレビ、およびコンテンツデータ出力プログラムに関するものである。
【背景技術】
【０００２】
従来、パーソナルコンピュータなどにデジタルカメラ、携帯電話などを接続し、デジタルカメラや携帯電話にて撮影した静止画、および動画などのコンテンツデータをパーソナルコンピュータのディスプレイで表示して編集などを行う技術が知られている。特許文献１には、デジタルカメラやメモリカードをテレビに接続された機器に接続または挿入することにより、接続または挿入をトリガとして自動的にテレビ画面に画像を表示して、この画像を加工することができる技術が開示されている。一方、特許文献２には、ユーザの視聴中または視聴した放送情報を常に再視聴でき、また永久に保存することができる技術が開示されている。また、特許文献３には、画像を記憶している端末から、大きな画面を持つ装置へ、当該画像を送信し、表示して楽しむことができる技術について開示している。
【特許文献１】日本国特許公報「特開２０００−８３１９１号公報（公開日：２０００年（平成１２年）３月２１日）」
【特許文献２】日本国特許公報「特開２０００−２６１７５０号公報（公開日：２０００年（平成１２年）９月２２日）」
【特許文献３】日本国特許公報「特開２００２−１０２２７号公報（公開日２００２年（平成１４年）１月１１日）」
【発明の開示】
【０００３】
しかしながら、特許文献１の技術では、わざわざ、デジタルカメラやメモリカードをテレビに接続された機器に接続または挿入する必要がある。さらに、メモリカードの場合には、デジタルカメラから取り出すステップも必要になり、作業が煩雑になる。
【０００４】
本発明は、上記の問題点に鑑みてなされたものであり、その目的は、いちいちデジタルカメラなどのコンテンツデータを送信する側の装置とを接続することなく、かつ、特別の操作を行うことなく、コンテンツデータを視聴することができるコンテンツデータ出力装置および該コンテンツデータ出力装置を備えたテレビを提供することにある。
【０００５】
上記の課題を解決するため、本発明に係るコンテンツデータ出力装置は、コンテンツデータを受信するコンテンツデータ受信手段と、該コンテンツデータ受信手段にて受信したコンテンツデータを記憶させて、該記憶させたコンテンツデータを、他のデータよりも優先的に出力するように制御するコンテンツデータ制御手段と、を備えていることを特徴としている。
【０００６】
ここで、コンテンツデータとは、静止画、動画、音声、またはテキスト、などを含むマルチメディアデータを指し、特に、静止画および動画の画像などを撮影した携帯電話またはデジタルカメラなどから受信した、マルチメディアデータを指す。また、コンテンツ受信手段にて受信したコンテンツデータの記憶先は、コンテンツデータ出力装置内部に限らず、外部でもよい。
【０００７】
上記構成によれば、コンテンツデータ受信手段にて受信されたコンテンツデータは、コンテンツデータ制御手段にて、受信を合図に他のデータよりも優先的に出力されるようになっている。そのため、単にコンテンツデータをコンテンツデータ出力装置に向かって送信するだけで、何らコンテンツデータ出力装置側の操作をすることなく、かつ、コンテンツデータを送信する側の装置とコンテンツデータ出力装置とを互いに接続することなく、コンテンツデータの出力を行うことができる。また、コンテンツデータ受信手段にて受信したコンテンツデータを一旦記憶させているため、受信したコンテンツデータを後に再視聴することができる。
【図面の簡単な説明】
【０００８】
【図１】コンテンツデータ出力装置の概略構成を示すブロック図である。
【図２（ａ）】リモコン信号受信部とＩｒＤＡ受信部とが別々に配置されている構成を示す図である。
【図２（ｂ）】リモコン信号受信部とＩｒＤＡ受信部とが一体形成されている構成を示す図である。
【図３（ａ）】データ記憶部におけるコンテンツデータの管理の様子を示す、コンテンツデータリストの模式図である。
【図３（ｂ）】データ記憶部におけるコンテンツデータの管理の様子を示す、コンテンツデータリストの模式図である。
【図３（ｃ）】データ記憶部におけるコンテンツデータの管理の様子を示す、コンテンツデータリストの模式図である。
【図４（ａ）】リモコンの概略構成を示す図である。
【図４（ｂ）】チャンネルリストを示す図である。
【図４（ｃ）】チャンネルリストを示す図である。
【図５】コンテンツデータ出力装置の動作を概略的に示すフローチャートである。
【図６】図５に示す受信したコンテンツデータの処理を示すフローチャートである。
【図７】図６に示すコンテンツデータリストに受信したコンテンツデータを追加する処理を示すフローチャートである。
【図８】図５に示す指定されたコンテンツデータの表示処理を示すフローチャートである。
【図９】図５に示す入力を切り替える処理を示すフローチャートである。
【図１０】コンテンツデータ出力装置に画像を送信した際に、テレビ画面が切り替わる様子を示す模式図である。
【図１１（ａ）】受信部が設けられているテレビを示す図である。
【図１１（ｂ）】受信部がアダプタとしてテレビ外部に設けられているアダプタ付テレビを示す図である。
【図１２】図５に示すフローチャートにコンテンツデータ出力装置の状態に応じて行う処理を追加したフローチャートである。
【図１３】図１２に示す処理の具体的な処理を示すフローチャートである。
【図１４】図９に示すフローチャートに、戻るボタンを用いた処理を加えたフローチャートである。
【図１５】一旦図１３に示す処理を行った後に、戻るボタンにより元に戻った際の処理を示すフローチャートである。
【図１６（ａ）】スライドショーについて説明する図である。
【図１６（ｂ）】スライドショーについて説明する図である。
【図１６（ｃ）】スライドショーについて説明する図である。
【図１７】コンテンツデータリストが複数設けられている、あるいは、コンテンツデータがグループに分類されて記憶されている場合における、グループ一覧と、あるひとつのグループに入っているコンテンツの一覧（サムネイル）の表示イメージ例を示している。
【図１８】コンテンツデータを送信する送信機の表示画面を示す図である。
【図１９（ａ）】送信機から送られてきた複数のコンテンツデータを同時に表示するときの画面例である。
【図１９（ｂ）】受信したコンテンツデータを順次表示する画面例である。
【図２０（ａ）】お気に入り番組表を示す図である。
【図２０（ｂ）】お気に入り番組視聴中にコンテンツデータを受信した場合の表示画面例である。
【図２０（ｃ）】お気に入り番組視聴中にコンテンツデータを受信し、お気に入り番組が終了したときの表示画面例である。
【図２１（ａ）】左右からの赤外線を判別して受信することができる受信部を示す図である。
【図２１（ｂ）】左右からの赤外線を判別するためにアダプタを２つ取り付けたテレビを示す図である。
【図２１（ｃ）】左右からの赤外線を判別するために正面の両端に受信部を設けた図である。
【図２１（ｄ）】音楽番組が表示されているテレビを示す図である。
【図２１（ｅ）】図２１（ｄ）の状態において左側からＩｒＤＡ信号を受信した場合を示す図である。
【図２１（ｆ）】図２１（ｄ）の状態において右側からＩｒＤＡ信号を受信した場合を示す図である。
【図２２】（ａ）部分は助手席側から見たカーナビゲーションの表示を示す図であり、（ｂ）部分は運転席側から見たカーナビゲーションの表示を示す図であり、（ｃ）部分は図２２（ａ）部分および（ｂ）部分に示す状態からＡＶコンテンツでないコンテンツデータを受信した際に助手席側および運転席側から見た表示を示す図であり、（ｄ）部分は図２２（ｃ）部分に示す状態からＡＶコンテンツを受信した場合の助手席側から見た表示を示す図であり、（ｅ）部分は図２２（ｃ）部分に示す状態からＡＶコンテンツを受信した場合の運転席側から見た表示を示す図である。
【符号の説明】
【０００９】
１    受信部（コンテンツデータ受信手段）
３    リスト追加部（コンテンツデータ制御手段）
４    データ記憶部（コンテンツデータ記憶手段）
９    出力部（データ出力手段）
１３  ＩｒＤＡ受信部（コンテンツデータ受信手段）
１４  第２の入力切替部（コンテンツデータ制御手段；切替手段）
１５  コンテンツデータリスト
２１  テレビ
２５  アダプタ（コンテンツデータ出力装置）
【発明を実施するための最良の形態】
【００１０】
本発明の一実施の形態について図面を用いて説明する。【００１１】
〔コンテンツデータ出力装置の構成〕
本実施の形態のコンテンツデータ出力装置（データ出力装置）は、いわゆる「Ir simple」と呼ばれる、プロトコルを簡便化して比較的大きなファイルでも一瞬のうちに他の機器へ送ることができる赤外線による転送技術を用いた装置である。この転送技術により、データ出力装置は、携帯電話などの送信機に入れたコンテンツデータを大画面テレビに写して、そのコンテンツデータを楽しむことができる。なお、コンテンツデータには、静止画だけでなく、動画も含まれる。なお、コンテンツデータは、静止画、動画、音声、またはテキスト、などを含むマルチメディアデータを指すこととする。また、コンテンツデータは、マルチメディアデータへのポインタ（参照・リファレンス）を一つ以上含んだリストであってもよい。【００１２】
さらに、コンテンツデータの転送方法は、「IrSimple」に限る必要はなく、「IrDA」等の他の光通信方式を用いてもよいしUWB (Ultra Wide-Band)、Bluetooth、ZigBee、無線LAN等の電波を用いた方法でもよい。また、光通信、電波等の無線で、又はUSB、IEEE1394等のケーブルで、テレビに接続されているクレードルに置くというような方法でもよい。【００１３】
データ出力装置は、図１に示すように、受信部（受光部；コンテンツデータ受信手段）１、データ処理部２、リスト追加部３、データ記憶部（コンテンツデータ記憶手段）４、リモコン信号種類判別部５、コンテンツデータ表示処理部６、第１の入力切替部７、信号処理部８、出力部９、テレビチューナ１０、ビデオ装置１１、および第２の入力切替部（切替手段）１４を備えている。なお、出力部９は、コンテンツデータを表示するためのテレビのディスプレイやスピーカーなどである。また、図示しないが、ラジオチューナなどの別のチューナを備えてもよい。さらに、データ出力装置は、少なくとも、リスト追加部３と第２の入力切替部１４とを含む構成として、コンテンツデータ制御部（コンテンツデータ制御手段）を有している。また、データ出力装置としての最小構成（必須の構成）は、図１に破線にて示したアダプタ２５の部分である（後述）。【００１４】
但し、データ出力装置内に備えるデータ記憶部４は、最低限の画像表示や全体制御に必要な最低限の容量を少なくとも備える構成とし、図１に示すように、データ出力装置の外部にさらに別のデータ記憶部３０を設けてもよい。例えば、このデータ記憶部３０としては、有線にて接続された外付けＨＤＤ（Ｈａｒｄ  Ｄｉｓｋ  Ｄｒｉｖｅ）、フラッシュメモリなどによって構成してもよい。また、データ記憶部３０としては、ネットワークを通じて接続されたサーバ、ストレージなどでもよい。さらに、データ出力装置内にデータ記憶部４を備えず、外部のみ、つまり、データ記憶部３０のみを備える構成としてもよい。【００１５】
受信部１は、図１および図２（ａ）に示すように、テレビやカーナビゲーションのリモコンからのリモコン信号（指示入力の信号）を受信するリモコン信号受信部（赤外線受信部）１２と、携帯電話などからのIrSimpleやIrDAなどの転送技術を用いたコンテンツデータの信号を受信するＩｒＤＡ受信部（コンテンツデータ受信手段）１３と、を備えている。リモコン信号受信部１２は、受信したリモコン信号をリモコン信号種類判別部５へ送る一方、ＩｒＤＡ受信部１３は、受信したＩｒＤＡ信号をデータ処理部２へ送る。【００１６】
ここで、受信部１が受信した信号が、リモコン信号であるか、または、ＩｒＤＡ信号であるかは、リモコン信号受信部１２にて受信されるか、ＩｒＤＡ受信部１３にて受信されるかで判別することができる。また、これらの受信部１は、図２（ｂ）に示すように、リモコン信号受信部１２とＩｒＤＡ受信部１３とを一体的に構成してもよい。つまり、リモコン信号受信部１２と、ＩｒＤＡ受信部１３とを一つのデバイス（リモコン信号受信部兼ＩｒＤＡ受信部）にて構成してもよい。【００１７】
このような一つのデバイスにて構成した場合には、受信した信号がバンドパスフィルタを通過するかどうかによって受信部１が受信した信号がリモコン信号であるかＩｒＤＡ信号であるかを判別することができる。バンドパスフィルタを通過する信号はリモコン信号であり、バンドパスフィルタを通過しない信号はＩｒＤＡ信号である。このバンドパスフィルタを用いて、受信した信号がリモコン信号である場合には、リモコン信号種類判別部５に渡され、ＩｒＤＡ信号であれば、データ処理部２に渡されるようにすることが好ましい。つまり、一体的に構成された受信部１は、受光したデータがコンテンツデータ（ＩｒＤＡ信号によるデータ）であれば、ＩｒＤＡ受信部１３として機能し、コンテンツデータでなければ、リモコン信号受信部１２として機能する。なお、バンドパスフィルタは、例えば２０〜６０ｋＨｚ程度に設定してもよいし、キャリア周波数の±５％程度としてもよい。【００１８】
データ処理部２は、ＩｒＤＡ受信部１３から受け取ったコンテンツデータを出力部９にて出力できるようなデータ形式へ展開などのデータ処理を施し、リスト追加部３に送る。なお、展開などを行う必要がないコンテンツデータについては、データ処理部２によるデータ処理は行わず、受け取ったコンテンツデータをそのままリスト追加部３へ渡す。リスト追加部３は、データ処理部２から受け取ったコンテンツデータをデータ記憶部４にコンテンツデータリスト１５として記憶させ（図４（ｃ）参照）、このコンテンツデータを第２の入力切替部１４に送る。【００１９】
第２の入力切替部１４は、コンテンツデータをリスト追加部３から受け取ると、それまで出力部９に表示していたテレビ放送、再生していたビデオなどを、コンテンツデータへ切り替えるように、出力部９に指示する。これにより、送信機からコンテンツデータを送信すれば、ユーザがデータ出力装置に対して一切の操作をすることなく、自動的に（優先的に）コンテンツデータが表示される。【００２０】
リモコン信号種類判別部５は、リモコン信号受信部１２が受信したユーザからの指示入力の信号（指示信号）を受け取る。リモコン信号種類判別部５は、受け取った指示信号が、コンテンツデータ指定指示信号、切替信号（チャンネルの切替信号および入力ソース切替信号）、または、その他の信号（後述）のいずれかであるかを判断する。判断の結果、受け取った指示信号がコンテンツデータ指定指示信号であれば、該信号をコンテンツデータ表示処理部６へ出力し、切替信号であれば、該切替信号を第１の入力切替部７へ出力し、その他の信号であれば、このその他の信号を信号処理部８へ出力する。第１の入力切替部７は、チャンネルを切り替えた結果、コンテンツデータを選択した場合には、コンテンツデータの表示処理をコンテンツデータ表示処理部６に指示する（コンテンツデータ指定指示信号を送る）。【００２１】
コンテンツデータ表示処理部６は、リモコン信号種類判別部５または第１の入力切替部７から受け取ったコンテンツデータ指定指示信号を基に、コンテンツデータを出力部９に表示するように処理を行う。【００２２】
第１の入力切替部７は、リモコン信号種類判別部５から受け取った切替信号を基に、入力ソースを切り替えるかまたはチャンネルを切り替える。ここで、「入力ソース」には、テレビチューナ１０にて受信するテレビ放送、ビデオ装置１１から得るビデオ映像、ラジオチューナにて受信するラジオ放送、ＩｒＤＡ受信部１３にて受信するコンテンツデータなどが含まれる。既に述べたが、コンテンツデータに切り替える場合には、コンテンツデータ指定指示信号をコンテンツデータ表示処理部６に送る。【００２３】
信号処理部８は、リモコン信号種類判別部５から受け取った、音量ＵＰ／ＤＯＷＮ、チャンネル番号などの信号を処理する。【００２４】
データ記憶部４は、図１に示すように内部にコンテンツデータリスト１５を有しており、コンテンツデータをコンテンツデータリスト１５として記憶する役割を有している。【００２５】
データ出力装置（データ提示装置）内に備えたデータ記憶部４の記憶容量が小さい場合には、コンテンツ本体（ファイルなど）はデータ出力装置外に備えたデータ記憶部３０に記憶させて、データ出力装置装置内に備えたデータ記憶部４には、当該コンテンツの記憶場所（アドレス、ＵＲＩなど）のみを記憶するとしてもよい。また、データ出力装置内に備えたデータ記憶部４には、ファイル展開後のイメージのような描画に必要なデータや、再読み込みを効率化するコンテンツキャッシュのみを記憶させ、コンテンツデータリスト１５も、データ出力装置外に備えたデータ記憶部３０に記憶させてもよい。【００２６】
図３（ａ）〜（ｃ）は、データ記憶部４のコンテンツデータリスト１５における、コンテンツデータの管理の様子を示す図である。図３（ａ）に示すように、２００５年０９月１０日１２時１０分００秒の時点で、「１．Ｊｐｇ」、「２．Ｊｐｇ」、および「３．Ｊｐｇ」の３つの画像（コンテンツデータ）をデータ記憶部４に記憶していたとする。その後、２００５年０９月１０日２０時０５分０４秒に「ｆｌｏｗｅｒ．Ｊｐｇ」を受信すると、図３（ｂ）に示すように、データ記憶部４に「ｆｌｏｗｅｒ．Ｊｐｇ」のコンテンツデータが記憶され、コンテンツデータリスト１５に「ｆｌｏｗｅｒ．Ｊｐｇ」が追加される。ここでは、「ｆｌｏｗｅｒ．Ｊｐｇ」をコンテンツデータリスト１５の一番最後に追加しているが、これに限らず、例えば、「ｆｌｏｗｅｒ．Ｊｐｇ」を受信中に「２．Ｊｐｇ」を表示中であれば、「２．Ｊｐｇ」と「３．Ｊｐｇ」との間に「ｆｌｏｗｅｒ．Ｊｐｇ」を追加するなどしてもよい。【００２７】
一方、データ記憶部４に記憶させるコンテンツデータの記憶量には、限りがある。そのため、本実施の形態のコンテンツデータ制御部は、データ記憶部４のコンテンツデータリストを監視して所定の条件によりデータ記憶部４に記憶しているコンテンツデータを削除するコンテンツデータ削除部（コンテンツデータ削除手段；不図示）を有していることが好ましい。このコンテンツデータの削除は、ユーザから削除するコンテンツデータの指定を受けて削除することもできる。【００２８】
上記の所定の条件としては、例えば、(i)受信後一定時間が経過した後に削除する、(ii)記憶しているコンテンツデータの合計データ量（容量）が所定の量を超えたら最も早く記憶されたものを削除する、(iii)記憶しているコンテンツデータの合計データ量（容量）が所定の量を超えたら最も参照回数の少ないコンテンツデータを削除する、などが考えられる。図３（ｃ）は、図３（ｂ）のようなコンテンツデータの記憶状態であったときに「削除ルール：保存期間は受信後２４時間」としていた場合を示している。この削除ルールによれば、図３（ｃ）に示すように、受信後２４時間以上を経過したコンテンツデータ「１．Ｊｐｇ」および「２．Ｊｐｇ」が削除される。【００２９】
次に、上記のデータ出力装置を備えたテレビ（コンテンツ提示装置）を操作するリモコンの構成について説明する。このリモコンは、図４（ａ）に示すように、テレビの電源をＯＮ／ＯＦＦする電源ボタン（Power）２９、テレビチャンネルをＵＰ／ＤＯＷＮするテレビチャンネルボタン２８、音量を調整する音量調整ボタン２３、画像チャンネルをＵＰ／ＤＯＷＮする画像チャンネルボタン２４、戻るボタン（機能については後述）２７、およびダイレクトにテレビチャンネルを指定できるテレビチャンネルボタン群２６を備えている。また、テレビを操作するリモコンは、ここで説明した例に限らず、上下左右を指定可能な十字キー（十字ボタン）や、直接ポインティング可能なマウス、タッチパッド、トグルボタン、ジョグシャトルなどを備えてもよい。【００３０】
画像チャンネルボタン２４が備えられていることを除いて、ごく普通のテレビのリモコンと同じである。画像チャンネルボタン２４を備えることによって、テレビチャンネルを選ぶように、画像チャンネル（コンテンツデータチャンネル）を選ぶことができる。また、通常のテレビ番組を見ているときに、画像チャンネルボタン２４の「＋」か「−」かのいずれかを押せば、ダイレクトに画像チャンネルに切り替えることができる。【００３１】
また、テレビチャンネルボタン２８を管理するチャンネルリストは、図４（ｂ）のようになっており、テレビチャンネルボタン２８のザッピングにより、「画像ｃｈ」が指定された場合に、画像チャンネルボタン２４を用いて上記のコンテンツデータリスト１５からコンテンツデータを選択することができる。その他、図４（ｃ）に示すように、チャンネルリストにコンテンツデータリストも設けて、テレビチャンネルボタン２８のザッピングにより画像チャンネルを選択できるようにしてもよい。この場合は、画像チャンネルの切り替えをテレビチャンネルボタン２８にて行うことができるため、画像チャンネルボタン２４が不要となる。【００３２】
リモコンの戻るボタン２７は、これを画像チャンネルの視聴中に押下することにより、コンテンツデータの視聴から、元のテレビチャンネル、または、ビデオ映像に戻ることができる。【００３３】
〔コンテンツデータ出力装置の動作〕
次に、このデータ出力装置の動作について説明する。図５は、データ出力装置の動作を概略的に示すフローチャートである。【００３４】
まず、受信部１は、赤外線を受信する（Ｓ１）と、受信した赤外線の信号がリモコン信号であるか、ＩｒＤＡ信号であるかを判断する（Ｓ２）。【００３５】
つまり、受信部１は、受信したデータがリモコン信号によるデータであるか、コンテンツデータであるかを判断する。リモコン信号受信部１２とＩｒＤＡ受信部１３とが、図２（ｂ）に示すように一つのデバイスから成っている場合にはバンドパスフィルタを用いて、リモコン信号とＩｒＤＡ信号とを区別することができる。受信した信号がＩｒＤＡ信号の場合（Ｓ２においてＹＥＳの場合）、このＩｒＤＡ信号をデータ処理部２に送る。データ処理部２、リスト追加部３、第２の入力切替部１４は、このＩｒＤＡ信号に対して、コンテンツデータ処理（図６，７参照）を行う（Ｓ３）。【００３６】
一方、受信した信号が、リモコン信号の場合（Ｓ２においてＮＯの場合）、この信号はリモコン信号種類判別部５に送られる。このリモコン信号種類判別部５は、リモコン信号の種類を判別する（Ｓ４）。具体的には、リモコン信号が、コンテンツデータ指定指示信号、入力切替指示信号（切替信号）、またはその他の信号のいずれであるかを判別する。リモコン信号が、コンテンツデータ指定指示信号である場合（つまり、上記の画像チャンネルボタン２４の「＋」または「−」が押下された場合）、リモコン信号種類判別部５は、出力部９が、コンテンツデータを出力しているかどうかを判別する（つまり、画像チャンネルを表示中であるかどうかを判別する）（Ｓ５）。【００３７】
コンテンツデータを出力している場合（Ｓ５においてＹＥＳの場合）、には、指定されたコンテンツデータ表示処理を行う（Ｓ６；図８）。一方、画像を表示していない場合（Ｓ５においてＮＯの場合）には、第１の入力切替部７にて入力切替処理を行う（Ｓ７；図９）。また、リモコン信号が切替信号である場合にも、第１の入力切替部７にて入力切替処理を行う（Ｓ７）。なお、リモコン信号が、その他の信号（例えば、音量のＵＰ／ＤＯＷＮやチャンネル番号信号などの信号）である場合には、これらに応じた処理を行う（Ｓ８）。【００３８】
その他、図示していないが、当該コンテンツデータ出力装置にて、テレビ放送、ラジオ放送を提示中に、当該放送の中にコンテンツデータの提示を行うよう指示する信号が挿入されていた場合に、当該コンテンツデータの出力を行ってもよい。あるいは、テレビ放送、ラジオ放送の内容によって適切なコンテンツデータを出力する、などの処理を行ってもよい。テレビ放送、ラジオ放送の内容は、ＥＰＧ（Electronic Program Guide）から取得してもよいし、放送の中に含まれている属性データから取得してもよい。【００３９】
また、以降、「チャンネル切り替え」と記すが、実際には完全にチャンネルを切り替える他にも、コンテンツデータとそれ以外のデータ（テレビ放送など）とを、画面を分割することにより提示、どちらか一方を子画面にて提示、あるいは重畳表示を行ってもよい。例えば、コンテンツデータが透過処理の施された静止画、つまり、画像の一部に穴があいたように見える画像であった場合には、重畳表示を行うことによって、当該コンテンツデータの中に、コンテンツデータ以外のデータが見えるように演出することが可能である。【００４０】
上記のコンテンツデータ処理から自動的にコンテンツデータを出力するまでのフローについて（つまり、上記のＳ３について）図６を用いて説明する。図６に示すフローチャートは、上記のＳ３のサブルーチンとなっている。【００４１】
まず、データ処理部２は、ＩｒＤＡ受信部１３から受け取ったコンテンツデータを展開する（Ｓ１１）。例えば、ＪＰＥＧファイルで受信した表示イメージへ展開する。展開することにより、携帯電話などの送信機側にて圧縮されたデータを大画面テレビにて表示することができる。但し、圧縮されていないデータが送られてきた場合には展開の必要はないことは言うまでもない。【００４２】
次に、データ処理部２は、展開後の表示イメージについて、サイズチェックを行う（Ｓ１２）。ここでいうサイズとは、データ量ではなく、出力部９の画面に対するサイズである。つまり、展開後の表示イメージが画面に対して大きいか、または、小さいかをチェックする。【００４３】
さらに、表示イメージが出力部９の画面よりも大きい、または、小さい場合には、データ処理部２は、表示イメージを出力部９の画面のサイズに合せる（リサイズを行う；Ｓ１３）。但し、必ずしもこのような出力部９の画面のサイズに合せた設定を行う必要はなく、表示イメージのサイズをユーザの選択によるオリジナルサイズにしてもよい。【００４４】
データ処理部２は、リサイズ後の表示イメージをＶＲＡＭやメモリなどの表示用バッファに書き込む（Ｓ１４）。表示イメージは、チャンネル毎に表示用バッファが割り当てられている場合には、画像チャンネルに割り当てられた表示用バッファに書き込む。チャンネル毎に表示用バッファが割り当てられていない場合には、表示イメージを一時的に記憶しておく。【００４５】
次に、データ処理部２は、ＩｒＤＡ受信部から受け取ったコンテンツデータ、または、展開などを施した後のコンテンツデータ（表示イメージ）をリスト追加部３へ送る。リスト追加部３は、データ処理部２から受け取ったコンテンツデータをコンテンツデータリスト１５に追加する（データ記憶部４に記憶させる；Ｓ１５；図７）。【００４６】
その後、リスト追加部３は、コンテンツデータリスト１５に追加したコンテンツデータと同じデータを第２の入力切替部１４に送る。第２の入力切替部１４は、リスト追加部３からコンテンツデータを受け取ると、入力ソースを画像チャンネル（コンテンツデータを表示するチャンネル）に切り替える（Ｓ１６）。【００４７】
次に、リスト追加部３が、データ処理部２から受け取ったコンテンツデータをコンテンツデータリストに追加する処理（Ｓ１５）について図７を用いて説明する。図７は、Ｓ１５のサブルーチンである。ここで、新たにコンテンツデータを追加すべきポイントを示すための追加ポインタをＡＰ、コンテンツデータリストのうち表示するコンテンツデータを示すための表示ポインタをＤＰ、コンテンツデータリスト１５内のコンテンツデータ数をＮＣとする。【００４８】
リスト追加部３は、コンテンツデータ数ＮＣが０、つまり、コンテンツデータリスト１５が空（データ記憶部４にコンテンツデータが記憶されていない）かどうかを判定する（Ｓ１７）。リスト追加部３は、コンテンツデータ数ＮＣが、０の場合（Ｓ１７においてＹＥＳの場合）、追加ポインタＡＰを初期化する。追加ポインタＡＰの初期化は、コンテンツデータリストが１から始まる配列なら、追加ポインタＡＰを１とする（Ｓ１８）。なお、コンテンツデータリスト１５が、０から始まる配列なら追加ポインタＡＰは０となることはいうまでもない。【００４９】
追加ポインタＡＰの初期化後、または、コンテンツデータ数ＮＣが０でない場合（Ｓ１７においてＮＯの場合）、リスト追加部３は、コンテンツデータを追加ポインタの示す場所、すなわち、コンテンツデータリストのＡＰ番目が示すデータ記憶部４に記憶させる（Ｓ１９）。【００５０】
データ記憶部４をデータ出力装置外にも設けている場合においては、当該受信したコンテンツデータをデータ出力装置外のデータ記憶部３０に記憶し、リスト追加部３は、コンテンツデータを記憶した場所をコンテンツデータリスト１５に記憶してもよい。【００５１】
その後、リスト追加部３は、表示ポインタＤＰ＝追加ポインタＡＰとする（Ｓ２０）。つまり、表示ポインタＤＰが、記憶したばかりのコンテンツデータが記憶されたコンテンツデータリスト１５を指し示すように設定する。そして、リスト追加部３は、追加ポインタＡＰを１増やし、次のコンテンツデータの受信に備える（Ｓ２０）。このとき、コンテンツデータ数ＮＣも１増やす（Ｓ２０）。【００５２】
但し、上記の処理は、コンテンツデータを、受信順に記憶させる場合の処理であるが、この処理に限定されない。例えば、最近表示したコンテンツデータのすぐ次にコンテンツデータを記憶したい場合には、追加ポインタＡＰと表示ポインタＤＰとを現在の表示ポインタ＋１とすればよい。【００５３】
次に、上記の指定されたコンテンツデータ表示処理について図８を用いて説明する。図８は、Ｓ６のサブルーチンである。このコンテンツデータ表示処理は、コンテンツデータ表示処理部６にて行われる。【００５４】
ここで、図７と同様に、コンテンツデータリスト内の表示ポインタをＤＰとし、コンテンツデータリスト１５内のコンテンツデータ数をＮＣとする。なお、ここでは、説明の便宜上、コンテンツデータリスト１５は、コンテンツデータの受信順にソーティング（分類分け）されているとする。このようにソーティングされている場合における最も先に受信したコンテンツデータを示すコンテンツデータリスト１５の部分を「コンテンツデータリストの先頭」と呼び、最も後に受信したコンテンツデータを示すコンテンツデータリスト１５の部分を「コンテンツデータリストの最後」と呼ぶ。なお、コンテンツデータリスト１５は、名前順など他の規則によりソーティングされていてもよい。【００５５】
まず、コンテンツデータリスト１５が空でないかどうかを調べる（Ｓ２１）。つまり、コンテンツデータ数ＮＣが０でないかどうかを調べる。コンテンツデータが空である場合（Ｓ２１でＹＥＳの場合）には、「コンテンツがありません」というエラーメッセージを出力部９に表示して（Ｓ３１）、処理を終了する。なお、このエラーメッセージの表示のときだけ画像チャンネルに切り替えて、メッセージ表示終了とともに元のチャンネルに戻してもよいし、他のチャンネル表示の上に重畳表示してもよい。もしくは、画像チャンネル切替とともに当該エラーメッセージだけ出して、ブルーバックや真っ黒の画面、環境映像などを流しておいてもいい。【００５６】
次に、コンテンツデータ数ＮＣが０でない場合（Ｓ２１でＮＯの場合）、コンテンツデータの指定の仕方がＵＰ（前へ）、ＤＯＷＮ（次へ）、またはＣＵＲＲＥＮＴのいずれであるかを判別する（Ｓ２２）。【００５７】
ここで、「ＵＰ」とは、表示中の画像チャンネルよりも一つ前に受信したコンテンツデータを指すことである。コンテンツデータの指定の仕方が「ＵＰ」である場合には、表示ポインタＤＰを１減らす（Ｓ２３）。次に、表示ポインタＤＰがコンテンツデータリスト１５の先頭を指しているか否か判定する（Ｓ２４）。表示ポインタＤＰがコンテンツデータリスト１５の先頭を指す場合（Ｓ２４においてＹＥＳの場合）、表示ポインタＤＰをコンテンツデータリスト１５の最後を指すようにする（Ｓ２５）。Ｓ２５の後、または、Ｓ２４においてＮＯの場合、コンテンツデータリスト１５のＤＰ番目を表示用バッファに書き込む（Ｓ２９）。【００５８】
「ＤＯＷＮ」とは、表示中の画像チャンネルよりも一つ後に受信したコンテンツデータを指すことである。コンテンツデータの指定の仕方が「ＤＯＷＮ」である場合には、表示ポインタを１増やす（Ｓ２６）。次に表示ポインタＤＰがコンテンツデータリスト１５の最後を指しているか否かを判定する（Ｓ２７）。表示ポインタＤＰがコンテンツデータリスト１５の最後を指す場合（Ｓ２７においてＹＥＳの場合）、表示ポインタをコンテンツデータリスト１５の最初を指すようにする（Ｓ２８）。Ｓ２８の後、または、Ｓ２７においてＮＯの場合、コンテンツデータリスト１５のＤＰ番目を表示用バッファに書き込む（Ｓ２９）。Ｓ２２において、コンテンツデータの指定の仕方がＣＵＲＲＥＴの場合には、コンテンツデータリスト１５のＤＰ番目を表示用バッファに書き込む（Ｓ２９）。なお、Ｓ２９において画像チャンネル用の表示用バッファが設けられていない場合には、コンテンツデータのイメージを一時記憶する。【００５９】
その後、入力ソースを画像チャンネル（コンテンツデータ）に切り替えて（Ｓ３０）、動作を終了する。【００６０】
次に、上記の入力切替処理について図９を用いて説明する。図９は、Ｓ７のサブルーチンである。この入力切替処理は、第１の入力切替部７にて行われる。【００６１】
まず、第１の入力切替部７は、入力切替指示がチャンネルボタン（画像チャンネルボタン２４およびテレビチャンネルボタン２８の両方を含む）のＵＰ／ＤＯＷＮによるものなのか、ＵＰ／ＤＯＷＮ以外であるのかを判断する（Ｓ４１）。【００６２】
チャンネルボタンのＵＰ／ＤＯＷＮによる場合には、チャンネルリストをＵＰ／ＤＯＷＮする（Ｓ４２、Ｓ４３）。ＵＰの場合に、チャンネル番号ＵＰとしてもよいし、その逆でもよい。【００６３】
次に、ＵＰ／ＤＯＷＮの結果、選ばれたチャンネルが画像チャンネルであるかどうか（入力ソースがコンテンツデータであるかどうか）を判断する（Ｓ４４）。画像チャンネルの場合（Ｓ４４においてＹＥＳの場合）、「指定コンテンツデータ＝ＣＵＲＲＥＮＴ」として、図８に示すコンテンツデータ表示処理へ移行する。【００６４】
Ｓ４１において、入力切替指示がＵＰ／ＤＯＷＮ以外の場合、つまり、ダイレクトに入力ソースが指定された場合、指定されたソースの種類を判別する（Ｓ４５）。【００６５】
この判別の結果、入力ソースが画像チャンネルである場合には、「指定コンテンツデータ＝ＣＵＲＲＥＮＴ」として、図８に示すコンテンツデータ表示処理へ移行する。【００６６】
また、Ｓ４５において、入力ソースがテレビチャンネル（例えば、チャンネルｘ）である場合には、指定されたチャンネルに切り替える（Ｓ４６）。さらに、Ｓ４５において、入力ソースがその他のソース（例えばビデオ）の場合には、その指定されたソースに入力ソースを切り替える（Ｓ４８）。【００６７】
以上により、例えば、図１０に示すように、ユーザがテレビ２１で例えば音楽番組（画像チャンネル以外のチャンネルの表示による番組）を視聴している際に、携帯電話２２から画像Ｆｌｏｗｅｒ．ｊｐｇを赤外線にて送信すれば、テレビ２１の画面が画像Ｆｌｏｗｅｒ．ｊｐｇが自動的に（ユーザがテレビ側の操作を一切行うことなく）切り替わる。さらにこの切り替えと同時にコンテンツデータリスト１５に設けられた、画像チャンネルに画像Ｆｌｏｗｅｒ．ｊｐｇが記憶されるため、いつでも再視聴することができる。【００６８】
図１１は、本実施の形態のデータ出力装置を備えたテレビ２１を示す図である。図１１（ａ）は、テレビ２１本体に受信部１などのデータ出力装置が備えられている。また、図１１（ｂ）に示すように、データ出力装置をアダプタ２５（図１参照）として、テレビ２１に対して抜き差し可能に設けてもよい。これにより、従来のテレビを用いることができる。但し、アダプタ２５を図１１（ｂ）に示すように、テレビ２１とは別装置として設ける場合には、アダプタ２５にもリモコン信号を受信できる手段（リモコン信号受信部）を設けることが好ましい。また、データ記憶部４がアダプタ内にあって、かつ、テレビ２１が制御信号を受信できるのであれば、コンテンツを操作する信号をアダプタで受けてもよい。【００６９】
図１では、アダプタ２５内に、ＩｒＤＡ受信部１３、データ処理部２、リスト追加部３、データ記憶部４、コンテンツデータ表示処理部６、および第２の入力切替部１４を設けている。しかしながらこの構成に限らず、第２の入力切替部１４はテレビ側に設けてもよい。【００７０】
なお、アダプタ２５は、テレビ２１に抜き差しできるように、図１１（ｂ）に示すように、Ｄ端子／ＨＤＭＩ３１、コンポジット映像端子／オーディオ端子３２、Ｓ端子３３を有している。【００７１】
なお、上記のアダプタ２５と同様に、テレビ２１に抜き差しできるように、または、無線接続やネットワーク接続が可能なように構成されたＤＶＤレコーダ、ＨＤＤレコーダを用いてもよい。【００７２】
なお、図１２に示すように、図５におけるＳ２とＳ３との間に、データ出力装置の状態を判断し、データ出力装置の状態に応じた処理を行ってもよい（Ｓ５１）。つまり、図１に示すデータ出力装置における、ＩｒＤＡ受信部１３とデータ処理部２との間にデータ出力装置の状態を検出し、データ出力装置の状態に応じた処理を行う状態検出処理部（状態検出処理手段；不図示）を設けてもよい。【００７３】
つまり、受信した信号が、ＩｒＤＡ信号であれば（Ｓ２においてＹＥＳであれば）、まず、データ出力装置の状態を判断して、装置の状態に応じた処理を行い（Ｓ５１）、その後、コンテンツデータ処理を行う（Ｓ３）。このＳ５１の具体的な処理については次に、図１３に示すフローチャートを用いて説明する。【００７４】
まず、状態検出処理部は、出力部９の電源が入っているかどうかを確認する（Ｓ５２）。つまり、状態検出処理部は、装置が画像や音声を出力できる状態にあるかどうかを確認する。そして、出力部９の電源が入っていなければ（Ｓ５２においてＮＯであれば）、状態検出処理部は、出力部９の電源をＯＮする。【００７５】
例えば、装置本体の電源が入っていても出力部９の電源が入っていなければ画像を表示できない。同様に、スピーカーやアンプの電源が入っていなければ、音が聞こえないか、音が小さすぎる。なお、状態検出処理部は、装置本体が通電状態（待機状態）かどうかを確認し、通電状態であれば、駆動状態（待機状態を解除し、コンテンツデータ、その他データを出力可能にされた状態）にしてもよい。【００７６】
出力部９の電源をＯＮした後、または、もともと出力部の電源がＯＮであった場合（Ｓ５２においてＹＥＳの場合）、状態検出処理部は、現在表示中のチャンネルｃｃの種類が何であるかを判別する（Ｓ５４）。【００７７】
現在表示中のチャンネルｃｃが、ビデオであった場合、状態検出処理部は、ビデオ再生中であるかどうかを判断する（Ｓ５７）。ビデオ再生中でない場合（Ｓ５７においてＮＯの場合）、処理を終了する。【００７８】
一方、ビデオ再生中である場合（Ｓ５７においてＹＥＳの場合）、状態検出処理部は、再生位置（たとえば、ビデオ開始からの経過時間）ＰＰを記憶する（Ｓ５８）。そして、状態検出処理部は、再生を停止または一時停止する（Ｓ５９）。なお、倍速再生だった場合は、倍速再生である旨をさらに記憶してもよい。次に、ビデオ視聴を中断していることを覚えておくために、状態検出処理部は、ビデオ中断フラグを立てて（フラグをＯＮする；Ｓ６０）、処理を終了する。なお、ＨＤＤレコーダ、ＤＶＤレコーダで構成されるビデオであった場合には、どのビデオを再生していたか、を名前などで記憶しておくことが望ましい。また、該ビデオのアドレスを覚えておいてもよい。【００７９】
また、現在表示中のチャンネルｃｃが、テレビだった場合、状態検出処理部は、テレビの録画を開始する（Ｓ５５）。そして、裏で録画していることを覚えておくために、状態検出処理部は、裏録画フラグを立てて（Ｓ５６）、処理を終了する。番組終了を受けて録画終了してもよいし、最初のＣＭまでを録画するようにしてもよい。ユーザの指示によって録画を終了してもよい。また、現在表示中のチャンネルｃｃが、その他（たとえば、ストリーミング放送受信中）であった場合は、状態検出処理部は、図示しないが、再生ポイントとストリーミングサーバのＵＲＬを覚えておき、処理を終了する。【００８０】
なお、この実施の形態において、コンテンツデータ出力装置と、ビデオ装置とが、別々の装置で構成されていても、あるいは同一装置として構成されていてもよい。コンテンツデータ出力装置とビデオ装置とが別々の装置として構成される場合は、例えば次に挙げる２つの方法にて制御が可能である。【００８１】
１）ＤＬＮＡ（Digital Living Network Alliance）にてコンテンツデータ出力装置とビデオ装置とを有線あるいは無線にて接続し、制御コマンドを送受信する。【００８２】
２）単にＡＶ信号を伝達できる方法（コンポジットケーブル、Ｄ端子などで有線接続、あるいはＩＥＥＥ８０２．１１にて無線伝送など）を用いてＡＶデータを装置間で送受信する。コンテンツデータ出力装置とビデオ装置とを比較的接近させて設置し、各装置が制御コマンドを傍受しあう。【００８３】
なお、状態検出処理部は、コンテンツデータ出力装置の状態を検出する場合に限られず、ユーザからの指示を検出してもよい。例えば、ユーザからコンテンツデータを送信してこられた際に、「後で表示」する旨を指示される場合がある。この場合は、図６で説明した受信したコンテンツデータの処理における、入力ソースを画像チャンネルへ変更のステップＳ１６をスキップするとよい。詳細については後述する。【００８４】
また、他の例では、ユーザからコンテンツデータを送信された際に、表示していたデータ（テレビ放送、ラジオ放送、またはインターネットコンテンツなどのデータ）が割り込みを禁止する情報を含んでいた場合に、「後で表示」する処理を行うことが考えられる。【００８５】
また、上記の図９を用いて説明した入力切替処理は、次の図１４のフローチャートに示すように行ってもよい。なお、ここでは、図９に示す処理と異なる個所のみ説明する。【００８６】
図９に示すＳ４１とＳ４５とのステップ間に、次に示すＳ６１およびＳ６２を設けてもよい。つまり、Ｓ４１において、入力切替指示がＵＰ／ＤＯＷＮ以外の場合、入力切替指示が戻るボタン２７（図４参照）によるものかどうかを判定する（Ｓ６１）。戻るボタン２７によるものでない場合（Ｓ６１においてＮＯの場合）、Ｓ４５へ移行する。一方、入力切替指示が戻るボタン２７によるものである場合（Ｓ６１においてＹＥＳである場合）、入力切替先をｃｃに設定し（Ｓ６２）、Ｓ４５へ移行する。【００８７】
また、Ｓ４５〜Ｓ４８の後、戻るボタン２７対策として、移行後の「現在表示中のチャンネルｃｃ」（ビデオなのか、画像チャンネルなのか、テレビチャンネルなのか）を記憶する。さらに、テレビチャンネルであれば、テレビチャンネルの中のどのチャンネルを表示していたかも記憶するとよい。【００８８】
なお、チャンネル変更履歴をスタックのようにして覚え、一つ「戻った」場合には、スタックの先頭にあるチャンネル（一番最後にたどっていたチャンネル）を履歴スタックから削除して、スタックの参照ポインタを一つ戻してもよい。このように、履歴をスタックで管理すれば、ブラウザと同じ感覚で「戻る」操作を行うことができる。【００８９】
次に、図１３のように、コンテンツデータを受信するとテレビの録画を開始したり、ビデオの再生をストップさせるような装置の状態に応じた処理を行った場合において、戻るボタン２７が押下されたことを受けて、元の番組またはビデオを中断したところから見ることができる処理について図１５を用いて説明する。具体的には、どの入力ソースへ切り替えるかによって処理が分かれる。【００９０】
もちろん、戻るボタン２７によってではなく、直接入力ソースの切替指示を受けて図１５の処理を行ってもよい。【００９１】
また、ユーザによる明示的な指示だけによらず、コンテンツデータの表示時間を例えば１５秒間に制限し、当該制限時間を経過すると、当該「戻る」処理を行ってもよい。さらに、コンテンツデータが動画データや音楽データのような、元々の再生時間が決まっているマルチメディアデータであった場合には、当該再生時間を経過（再生が終了）したら、当該「戻る」処理を行うとしてもよい。【００９２】
まず、戻るボタン２７が押下されたときの戻り先の入力ソースがどこであるかを判断する（Ｓ７１）。戻るボタン２７が押下されたときの戻り先が、ビデオである場合、まず、ビデオ中断フラグが立っているかどうかを調べる（Ｓ７２）。ビデオ中断フラグが立っていれば（Ｓ７２においてＯＮであれば）、ビデオ視聴途中にコンテンツデータを見たと判断し、停止位置ＰＰからビデオの再生を再開する（Ｓ７３）。Ｓ７３の後、または、Ｓ７２においてＯＦＦの場合、入力ソースをビデオとし（Ｓ７４）、ビデオ中断フラグをリセットし（Ｓ７５）、処理を終了する。【００９３】
戻るボタン２７が押下されたときの戻り先が、テレビである場合、まず、裏録画フラグが立っているかどうかを調べる（Ｓ７６）。裏録画フラグが立っていれば（Ｓ７６においてＯＮであれば）、テレビ視聴途中にコンテンツデータを見たと判断し、「テレビの続きを見ますか？」の様なメッセージをユーザに提示し、テレビの続きを見るか否か、ユーザの指示を受ける（Ｓ７７）。【００９４】
ユーザ指示により（または自動的に）「続きを見る」と指示された場合（Ｓ７７においてＹＥＳの場合）には、入力ソースを当該録画したテレビ番組（つまりビデオ）とし（Ｓ７９）、コンテンツデータを見始めた時点から（たとえば録画した部分の最初から）追っかけ再生を始める（Ｓ８０）。【００９５】
裏録画フラグが立っていないとき（Ｓ７６においてＯＦＦの場合）、または、裏録画フラグが立っているが続き視聴が指示されなかった場合（Ｓ７７においてＮＯの場合）には、入力ソースを普通に指示されたチャンネルへ切り替える（Ｓ７８）。Ｓ７８またはＳ８０の後、裏録画フラグをリセットし（Ｓ８１）、処理を終了する。【００９６】
Ｓ７１において、画像チャンネルが指定されていた場合、またはその他ソースが選ばれた場合については既に述べた処理と同様であるためその説明を省略する。【００９７】
次に、図１６（ａ）〜（ｃ）は、画像チャンネルにおける、スライドショーの例について示す説明図である。スライドショーの指示がデータ出力装置にされた場合には、図１６（ａ）に示すように、一定時間間隔（例えば５秒間隔）で、データ記憶部４に記憶しているコンテンツデータを最も後に受信したコンテンツデータから順に出力する（表示する）。なお、ここでは、Ａが最も先に受信したコンテンツデータであり、Ｊが最も後に受信したコンテンツデータとしている。Ａの表示を終えると、Ｊの表示を行って、再度順次、表示してもよいし、一旦スライドショーを終了し、いずれかのコンテンツデータの表示を行ってもよい。あるいは、上述の「戻る」処理により、当該スライドショー再生前に表示していたチャンネルへ戻ってもよい。【００９８】
次に、図１６（ｂ）に示すように、Ｃの表示中に、戻る（ＲＥＷＯＲＤ）が指示された場合について説明する。Ｃ表示中に戻る指示がされると、一つ前に表示したコンテンツデータの表示を行うこととし、Ｄの表示を行う。その後、一定時間が経過すれば、Ｃ→Ｂ→Ａと表示が切り替わる。なお、戻るが指示された場合、スライドショーの一定時間間隔よりも長めの時間間隔（例えば８秒間隔）にて表示してもよい。また、逆に、次へ（ＦＯＲＷＡＲＤ）が指示された場合には、一定時間の経過を待たずに、次のコンテンツデータの表示へ切り替えてもよいことは言うまでもない。【００９９】
次に、図１６（ｃ）に示すように、例えばＥの表示中に、一旦停止（ＰＡＵＳＥ）を指示された場合について説明する。Ｅの表示中に、一旦停止の指示がされると、Ｅを表示したままにし、Ｄへの表示に切り替えない。一旦停止の指示を受けた後、スライドショー再開の指示を受けると、Ｄ→Ｃ→…と以降一定時間間隔のコンテンツデータの表示に戻る。【０１００】
なお、スライドショーの再生は、コンテンツデータを受けたことによって行ってもよいし、チャンネルＵＰ／ＤＯＷＮ指示により、チャンネル切替を指示され、画像チャンネルに切り替えられたとき、または直接画像チャンネルへの切り替えの際に行うと効果的である。【０１０１】
なお、コンテンツデータが動画であった場合には、当該動画の先頭から順に上記と同じく所定の時間のみ再生し、その後、次の動画の再生へ移行してもよい。また、動画の主となる部分（例えば、ハイライトシーン）を指定できる形式の動画であれば、当該主となる部分を中心として所定の時間再生するか、または、主となる部分だけを再生してもよい。さらに、動画を最初から最後まで再生してから次の動画へ移行するようにしてもよい。【０１０２】
また、上記スライドショーにてコンテンツデータを順次再生している場合において、コンテンツデータが動画であった場合、新たな動画コンテンツデータを受信した時、既に受信済みの動画コンテンツデータの再生を終えていない場合などがある。このような場合に、受信処理だけを行っておき、当該再生を終えていなかった受信済み動画コンテンツデータの再生が終わるのをまって再生してもよい。また、コンテンツデータが静止画であった場合でもあっても、上記所定の再生時間を経過していない場合であれば、受信のみ先に行ってもよい。【０１０３】
また、この処理は、動画、静止画に限らず、音声のようなその他マルチメディアデータであったとしても適用可能であることはいうまでもない。【０１０４】
なお、コンテンツデータリスト１５は、複数設けられてもよい。また、コンテンツデータリスト１５にてコンテンツデータ（または、コンテンツデータを格納した場所を示す情報）を複数グループに分類して記憶してもよい。このようにコンテンツデータリスト１５を管理すると、特にコンテンツが写真であった場合において、各コンテンツデータリスト１５や、各グループが「アルバム」として馴染みのある見せ方が可能となる。【０１０５】
グループ分けの方法としては、ユーザの意思（「遠足の写真」、「家族旅行の写真」、「学芸会の写真」など）によってグループ分け（分類）されていてもよい。また、各コンテンツにつけられた属性データ（場所、日時、作成者、など）によってグループ分けされてもよい。今日のデジタルカメラなどではＥｘｉｆデータを用いて、写真を撮影する際のカメラの機種、撮影日時、露光などの属性データをつける機能があることが多いが、当該Ｅｘｉｆデータを利用してグループ分けすることも可能である。【０１０６】
他の例では、コンテンツデータが音楽ファイル、特にＭＰ３データであった場合には、ＭＰ３に付与されているＩＤ３タグを利用してグループ分けしてもよい。その他、データ形式ごとに決められた属性データがあれば、同様にグループ分けに利用することも可能である。【０１０７】
図１７（ａ）部分〜（ｃ）部分は、コンテンツデータリスト１５が複数設けられている、あるいは、コンテンツデータがグループに分類されて記憶されている場合における、グループ一覧と、あるひとつのグループに入っているコンテンツの一覧（サムネイル）の表示イメージ例を示している。【０１０８】
図１７（ａ）部分は、グループ一覧（アルバム一覧）の表示例である。各グループを代表するコンテンツと、その説明文が表示されている。ユーザは、この画面を見て、見たいグループを選択することが可能となる。選択の方法は、リモコンによる操作や、タッチパッドやマウス、タッチパネルを用いてのポインティングなどが考えられる。これらは周知の方法であるので、詳細な説明は割愛する。いずれかのグループが選択されると、当該選択されたグループに分類されているコンテンツの一覧表示へ移る。【０１０９】
上記のように、コンテンツがグループ分けされている場合は、最後に見た（選択した）グループを記憶しておき、図８に示した指定されたコンテンツデータの表示処理において、どのコンテンツデータの指定がなされたかを判断するステップＳ２２の処理の前に、どのグループの指定指示がなされたかを判断するとよい。その際は、例えば、特別な指示（前述のグループ一覧を提示し、ユーザによって一のグループが選択されたなど）がなかった場合は、最後に見たグループを「指定グループ」として判断するとよい。【０１１０】
図１７（ｂ）部分は、コンテンツ一覧の表示例である。一般的にサムネイルと呼ばれる形で表示している。図１７（ｃ）部分は、図１７（ｂ）部分においてコンテンツＦが選択されているところで、新たにコンテンツを受信すると、コンテンツデータリストのＦの前に当該受信したコンテンツが挿入される様子を示している。サムネイルとして表示する絵は、コンテンツの表示サイズを調整して表示しても良いし、上記のＥｘｉｆ情報に含まれるサムネイルデータを利用しても良い。【０１１１】
図１８は、コンテンツデータを送信する送信機（携帯電話、ＰＤＡ、デジタルカメラなど）の表示画面を示す図である。同図では、複数のコンテンツデータ（Ａ、Ｂ、Ｃ、Ｄ）をデータ出力装置に対して送信するときの、表示画面である。まず、ユーザは、送信したいコンテンツデータを選び、送信指示をすることによって、複数のコンテンツデータを順に送信する。受信機側が、十分に処理能力が高い場合には、一度に送ってもよい。【０１１２】
なお、図１８に示したような送信画面は、予め送信機側に備えられていてもよいし、別途無線通信または有線通信にて受信機側（コンテンツ提示装置；データ出力装置）より取得しても良い。受信機側より取得することによって、受信機側の都合（提示能力、記憶容量など）に合せた画像送信を容易に行うことが可能な送信画面を随時使用することが可能となる。また、受信機側から直接取得しなくとも、外部ネットワークより取得してもよいことは言うまでもない。コンテンツ提示装置の外部例えばサーバにデータ記憶部３０が設けられている場合に有効である。【０１１３】
図１９（ａ）（ｂ）は、送信機側が一度に複数のコンテンツデータを送ってきた場合の、出力部９の画面を示す図である。ここで、一度に複数のコンテンツデータが送られてきたかどうかは、例えば、１セッション（セッション開始パケットを受信してから切断パケットを受け取るまで）の間に、複数のコンテンツデータを受信したかどうかにより判断することができる。【０１１４】
一度に複数のコンテンツデータが送られたかどうか判別する別の例としては、送信機側から最後のコンテンツデータを送る際に送信終了を示すデータを送信する方法や、先のコンテンツデータの受信を完了してから所定の時間（例えば１５秒くらい）を経過しても次のコンテンツデータを受信しないと判断する方法なども考えられる。【０１１５】
図１９（ａ）は、送信機から送られてきた複数のコンテンツデータを、同時に出力部９に表示するときの画面例である。【０１１６】
受信できたコンテンツデータから順に表示する。最初は写真（コンテンツデータ）Ａだけであれば、画面いっぱいに写真Ａを表示する。【０１１７】
その後、写真Ｂを受信すれば、写真Ａと写真Ｂで画面いっぱいになるようにする。同様に、写真Ｃを受信したとき、写真Ｄを受信したとき、にこれらの写真にて表示を増やしていく。なお、横長のコンテンツデータを受信することもあるので、このような図１９（ａ）の表示は単なる一例にすぎない。【０１１８】
図１９（ｂ）は、受信したコンテンツデータを順次表示する画面例である。上記のデータ出力装置は、さらにタイマーを有しており、受信したコンテンツデータ（Ａ、Ｂ、Ｃ、Ｄ）を一定時間間隔（たとえば５秒間隔）で表示する。このとき、処理能力が高ければ、表示の傍らで全コンテンツデータを受信しておけばよい。または、全てのデータの受信に耐え切れない場合は、次のコンテンツデータの受信の準備が整ったら、前のコンテンツデータの受信を完了、保存したことを送信側に伝えて、次のコンテンツデータの送信を指示してもよい。【０１１９】
また、コンテンツデータがＥｘｉｆデータの付与された写真である場合には、Ｅｘｉｆに含まれるサムネイルを受信してから、写真全体を受信し表示の準備が済むまでに受信したサムネイルデータを先に表示させることによって、ユーザを待たせないようにすることができる。【０１２０】
次に、受信したコンテンツデータをすぐには表示しない場合について図２０（ａ）〜図２０（ｃ）を用いて説明する。すぐに表示を行わない場合は、例えば、図６に示した受信したコンテンツデータ処理のうち、入力ソースを切り替えるステップＳ１６を行わないようにすることで、実現することができる。【０１２１】
例えば、図２０（ａ）に示すようなお気に入り番組表（指定番組記憶部）に、気に入っている番組（お気に入り番組；指定されたテレビ番組）を登録しておく。第２の入力切替部１４は、コンテンツデータを受信したときに、お気に入り番組表を参照し、コンテンツデータを受信した時間に、お気に入り番組が登録されているかどうかを調べ、登録されていれば、出力部９へコンテンツデータの出力を指示しない。【０１２２】
また、他の例では、ＶＯＤ（Video On Demand）コンテンツなどで視聴期限が迫っている場合に、当該ＶＯＤコンテンツの視聴を優先させるために、同様に出力部９へコンテンツデータの出力を指示しないようにしてもよい。その他にも、高画質にて録画を行っている最中である場合に、録画を優先させたり、高負荷な処理を必要とするデータの再生中である場合に、当該高負荷コンテンツ再生を優先させたり、様々な優先制御方法があることはいうまでもない。【０１２３】
さらに、他の例では、現在表示中のデータの性質によって、コンテンツデータに優先させるか、あるいは重畳表示、並行表示を行うか、などの決定をしてもよい。より具体的には、現在表示中のデータが静止画像であり、受信したコンテンツデータが音声データであれば、一方が視覚データであり、もう一方が聴覚データであるため、並行的あるいは同時に出力を行っても支障がないとしてもよい。この場合、特別な優先制御を必要とすることなく、双方を出力することが可能である。これによって、当該受信した音声データを、当該表示中の静止画像のＢＧＭ（Back Ground Music）として楽しむことが可能となる。さらに、当該音声データを当該静止画像データに関連付けておくことで、再度音声データを送信、あるいは、呼び出しを行わなくても、当該静止画像データを表示する際に、当該音声データを並行的に、あるいは、同時に再生することも可能となる。【０１２４】
他の例では、例えば、送信機側より「すぐには表示しない」旨の指定がされたコンテンツデータを受信した場合に、該コンテンツデータの表示をすぐに行わないようにすることができる。さらに、他の例では、「今すぐ表示しますか？」とユーザに問い合わせを行うように設定してもよい。【０１２５】
但し、コンテンツデータの受信が完了したことだけはユーザに通知すべきであるので、例えば、図２０（ｂ）に示すように、出力部９の画面に「ＩＲ」というロゴを数秒間点滅させることで、ユーザにコンテンツデータの受信完了を通知することが好ましい。【０１２６】
また、テレビ２１や、アダプタ２５にＬＥＤや液晶画面、有機ＥＬ画面などの出力部９以外に別途設けられた補助的な出力部があれば、該補助的な出力部にて受信完了を通知してもよい。こうした補助的な出力部を持たせることで、出力部９にて提示中のコンテンツの表示が邪魔されることを軽減することができる。受信したコンテンツデータは、ユーザの指示により、または、自動的にユーザに提示する。【０１２７】
図２０（ａ）〜２０（ｃ）では、お気に入り番組の放送時間が終了したときに、コンテンツデータを表示している。すでに受信済みであることが分かるように、図２０（ｃ）に示すように、「お待たせしました」というメッセージを添えて提示してもよい。さらに、図２０（ｃ）に示すように、コンテンツデータを受信した時刻が分かるように、受信した時刻も併せて提示してもよい。なお、ここでのメッセージの提示を一定時間経過後（例えば、３秒後）に解除することによって、ゆっくりコンテンツデータを楽しむことができる。【０１２８】
なお、図２０（ａ）〜図２０（ｃ）では、お気に入り番組の放送時間の経過後にコンテンツデータの表示を行っているが、お気に入り番組の放送時間中であっても、コマーシャルに入っているときに、コンテンツデータの表示をし、コマーシャル終了後にお気に入り番組の表示に戻してもよい。また、このときの表示でも、いつ受信したコンテンツデータであるかを表示したり、コマーシャルが終わり、お気に入り番組の表示に戻ったときに、「コマーシャルが終わりました」と表示してもよい。コマーシャルが終わる時間が予め分かっているのであれば、コマーシャルが終わる時間まで数秒前（例えば５秒前）くらいからカウントダウンの表示を行ってもよい。【０１２９】
図２０（ｃ）の表示例は、上述の、「今すぐ表示しない」とユーザより指定された場合においても有効である。この場合は、ユーザによってコンテンツデータの表示指示がなされ、受信したコンテンツデータを初めて表示するときに行うとよい。【０１３０】
また、本実施の形態のデータ出力装置は、左から見たときの映像と、右から見たときの映像とが異なる２画面表示可能なディスプレイに対しても用いることができる。このディスプレイは、いわゆるデュアルビュー液晶と呼ばれ、液晶パネルの前に視差バリアを設け、１ピクセルごとにバックライトからの光の進行方向を振り分けることで、左右に違う情報を表示できる。視差バリアの配置などによっては、３画面以上を表示しわけたり、上下方向に表示しわけたりすることも可能である。【０１３１】
このような液晶ディスプレイに、(i)図２１（ａ）に示すような左右（α・β）からの赤外線を判別して受信する受信部１、(ii)図２１（ｂ）に示すような左右からの赤外線を判別して受信する２つのアダプタ、または、(iii)図２１（ｃ）に示すような左右からの赤外線を判別して受信する２つの受信部１を設けることが好ましい。【０１３２】
これらのいずれかの構成により、図２１（ｄ）に示すように音楽番組を視聴している場合に、ＩｒＤＡ信号を左（α）側から「ｆｌｏｗｅｒ．Ｊｐｇ」を受信すると、図２１（ｅ）に示すように、左側から見た表示は、「ｆｌｏｗｅｒ．Ｊｐｇ」の画像となり、右から見た表示は、音楽番組のままである。一方、図２１（ｄ）に示すように音楽番組を視聴している場合に、ＩｒＤＡ信号を右（β）側から「ｆｌｏｗｅｒ．Ｊｐｇ」を受信すると、図２１（ｆ）に示すように、左側から見た表示は、音楽番組のままであり、右（β）側から見た表示は、「ｆｌｏｗｅｒ．Ｊｐｇ」の画像となる。【０１３３】
また、本実施の形態のデータ出力装置は、２画面表示対応のカーナビゲーションにも用いることができる。２画面表示については、上記で説明したデュアルビュー液晶と同じ原理である。【０１３４】
一般に、安全上の理由から、運転中に運転者はＡＶコンテンツの視聴を禁止されている。図２１（ａ）〜（ｃ）のいずれかの構成を用いることによって、助手席側から送信したＡＶコンテンツを運転席側からは見られないようにすることができる。【０１３５】
図２２（ａ）部分は、助手席側から見たＡＶコンテンツの表示を示している。図２２（ｂ）部分は、運転席側から見たナビゲーションの表示を示している。図１には図示していないが、データ出力装置にＡＶコンテンツ判別部を設ける。【０１３６】
このＡＶコンテンツ判別部は、受信したコンテンツデータがＡＶコンテンツであるかどうかを判別する。図２２（ａ）部分図２２（ｂ）部分の状態から、受信したコンテンツデータがＡＶコンテンツでない場合（例えば、地図の場合）、図２２（ｃ）部分に示すように、運転席側および助手席側のいずれの方向から見ても同じ表示にする。【０１３７】
一方、受信したコンテンツデータがＡＶコンテンツである場合（例えば、「ｆｌｏｗｅｒ．Ｊｐｇ」である場合）、図２２（ｄ）部分図２２（ｅ）部分に示すように、助手席側のみから見れるように「ｆｌｏｗｅｒ．Ｊｐｇ」を表示し、運転席側からは、「ｆｌｏｗｅｒ．Ｊｐｇ」を見られないようにする。【０１３８】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。【０１３９】
最後に、データ出力装置の各ブロック、特にリスト追加部３および第２の入力切替部１４は、ハードウェアロジックによって構成してもよいし、次のようにＣＰＵを用いてソフトウェアによって実現してもよい。【０１４０】
すなわち、データ出力装置は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアであるデータ出力装置の制御プログラムのプログラムコード（実行形式プログラム、中間コードプログラム、ソースプログラム）をコンピュータで読み取り可能に記録した記録媒体を、上記データ出力装置に供給し、そのコンピュータ（またはＣＰＵやＭＰＵ）が記録媒体に記録されているプログラムコードを読み出し実行することによっても、達成可能である。【０１４１】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。【０１４２】
また、データ出力装置を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。【０１４３】
また、本発明のコンテンツデータ出力装置では、上記コンテンツデータを受信した時にコンテンツデータ出力装置自身の状態を検出することにより、または、上記コンテンツデータの送信元からの指示により、検出した状態、または、指示の内容に応じて所定の処理を行う状態検出処理手段を有していることが好ましい。【０１４４】
上記構成によれば、コンテンツデータを受信した時にコンテンツデータ出力装置自身の状態を検出することにより、または、上記コンテンツデータの送信元からの指示により、検出した状態、または、指示の内容に応じて所定の処理を行う状態検出処理手段を有している。そのため、自動的にコンテンツデータを出力するようになっていることに起因するコンテンツデータ出力装置側の弊害を予め取り除くことができる。【０１４５】
また、本発明のコンテンツデータ出力装置では、コンテンツデータを出力するコンテンツデータ出力手段を備えており、上記状態検出処理手段は、上記コンテンツデータを受信した時に、上記コンテンツデータ出力手段の電源が入っていない場合には、該コンテンツデータ出力手段の電源を入れることが好ましい。【０１４６】
上記構成によれば、状態検出処理手段は、上記コンテンツデータを受信した時に、コンテンツデータ出力手段の電源が入っていない場合には、該コンテンツデータ出力手段の電源を入れるようになっている。従って、もしユーザがコンテンツデータ出力手段の電源を入れ忘れた状態でコンテンツデータを送信してしまった場合でも、コンテンツデータを出力することができる。【０１４７】
また、本発明のコンテンツデータ出力装置では、上記状態検出処理手段は、上記コンテンツデータを受信した時に、コンテンツデータ出力装置自身が待機状態である時は、該コンテンツデータ出力装置自身を駆動状態にすることが好ましい。【０１４８】
上記構成によれば、コンテンツデータ出力装置自身が待機状態にある時に、ユーザがコンテンツデータを送信してしまった場合でも、コンテンツデータを出力することができる。【０１４９】
また、本発明のコンテンツデータ出力装置では、コンテンツデータ出力装置自身またはコンテンツデータ出力装置自身に接続された装置にてビデオを再生可能となっており、上記状態検出処理手段は、上記コンテンツデータを受信した時に、ビデオの再生中であった場合、この再生中のビデオを停止、または、一時停止することが好ましい。【０１５０】
上記構成によれば、上記状態検出処理手段は、上記コンテンツデータを受信した時に、ビデオの再生中であった場合、この再生中のビデオが停止、または、一時停止するようになっている。そのため、たとえ、ビデオ再生中にコンテンツデータを送信した場合でも、後に途切れることなく、ビデオを視聴することができる。【０１５１】
また、本発明のコンテンツデータ出力装置では、上記状態検出処理手段は、上記コンテンツデータの出力が終了すると、上記ビデオの停止、または、一時停止を解除することが好ましい。【０１５２】
上記構成によれば、上記状態検出処理手段は、コンテンツデータの出力が終了すると、上記ビデオの停止、または、一時停止を解除するようになっている。そのため、たとえ、ビデオ再生中にコンテンツデータを送信した場合でも、後に途切れることなく、ビデオを視聴することができる。【０１５３】
また、本発明のコンテンツデータ出力装置では、テレビ放送を出力可能となっており、上記状態検出処理手段は、上記コンテンツデータを受信した時に、テレビ放送中であった場合、放送中のテレビの録画を開始することが好ましい。上記構成によれば、コンテンツデータが優先的に出力されることによりそのときに視聴が妨げられるテレビ放送を後に視聴することができる。【０１５４】
また、本発明のコンテンツデータ出力装置では、上記状態検出処理手段は、上記コンテンツデータの出力が終了すると、上記録画したテレビの再生を開始することが好ましい。上記構成によれば、テレビの放送中にコンテンツデータを受信した場合、放送中のテレビの録画を開始し、コンテンツデータの出力が終了すると、上記録画したテレビの再生を開始するようになっている。従って、コンテンツデータを視聴していた際に放送されていたテレビ番組を漏らさずに楽しむことができる。【０１５５】
また、本発明のコンテンツデータ出力装置では、指定されたテレビ番組の放送時間を記憶する指定番組記憶手段をさらに備え、上記コンテンツデータ受信手段がコンテンツデータを受信した時に、上記指定番組記憶手段に記憶されているテレビ番組を出力中である場合には、上記コンテンツデータ制御手段は、受信したコンテンツデータを上記コンテンツデータ記憶手段に記憶するが、出力はしないことが好ましい。【０１５６】
上記構成によれば、ユーザは指定番組記憶手段に記憶させておいて指定した番組中に誤ってコンテンツデータを送信させてしまった場合でも、このコンテンツデータの出力を防止することができる。そのため、予め指定しておいた番組の視聴が妨げられることを防止することができる。【０１５７】
また、本発明のコンテンツデータ出力装置では、上記コンテンツデータ受信手段にて受信したコンテンツデータを記憶するコンテンツデータを記憶するコンテンツデータ記憶手段をさらに備え、上記指定されたテレビ番組の放送時間が過ぎると、上記出力しなかったコンテンツデータ記憶手段に記憶したコンテンツデータの出力を開始することが好ましい。【０１５８】
上記構成によれば、上記指定されたテレビ番組の放送時間が過ぎると、上記出力しなかったコンテンツデータ記憶手段に記憶したコンテンツデータを出力するようになっている。そのため、指定した番組中に送信したコンテンツデータの視聴を確実に行うことができる。【０１５９】
また、本発明のコンテンツデータ出力装置では、上記コンテンツデータ受信手段にて受信したコンテンツデータを記憶するコンテンツデータを記憶するコンテンツデータ記憶手段をさらに備え、上記コンテンツデータ制御手段は、上記コンテンツデータ記憶手段が記憶しているコンテンツデータを時間の間隔を空けて順次出力することが好ましい。【０１６０】
上記構成によれば、コンテンツデータ記憶手段が記憶しているコンテンツデータを時間の間隔を空けて順次出力することが可能となっている。そのため、コンテンツデータが複数であった場合、いちいち外部コンテンツデータを切り替えることなく、全てのコンテンツデータを視聴することができる。【０１６１】
また、本発明のコンテンツデータ出力装置では、上記コンテンツデータ制御手段は、上記コンテンツデータ受信手段が複数のコンテンツデータをまとめて受信した場合、この受信した複数のコンテンツデータのうち、一部または全部を、同一画面に出力することが好ましい。【０１６２】
上記構成によれば、まとめて受信した複数のコンテンツデータを一度に視聴することができる。例えば、大画面テレビなどによりコンテンツデータを視聴する場合などに適している。【０１６３】
また、本発明のコンテンツデータ出力装置では、上記コンテンツデータ制御手段は、上記コンテンツデータ受信手段が複数の上記コンテンツデータをまとめて受信した場合、この受信した複数の上記コンテンツデータを時間の間隔を空けて順次出力することが好ましい。【０１６４】
上記構成によれば、複数のコンテンツデータをまとめて受信した場合、この受信した複数のコンテンツデータを時間の間隔を空けて順次出力することができるため、一つ一つのコンテンツデータを外部から操作することなく、視聴することができる。また、一つ一つ視聴するため、例えば大画面で視聴する場合には、画面全体を使って一つのコンテンツデータを視聴することができる。【０１６５】
また、本発明のコンテンツデータ出力装置では、上記コンテンツデータ受信手段にて受信したコンテンツデータを記憶するコンテンツデータを記憶するコンテンツデータ記憶手段をさらに備え、上記コンテンツデータ制御手段は、所定の条件により上記コンテンツデータ記憶手段に記憶している上記コンテンツデータを削除するコンテンツデータ削除手段を有していることが好ましい。【０１６６】
上記構成によれば、データ記憶手段には限りがあるが、上記コンテンツデータ削除手段にてデータを適宜削除することによって、新たに記憶するコンテンツデータの記憶スペースを常に設けておくことができる。なお、ここでいう所定の条件とは、例えば、(i)受信後一定時間が経過した後に削除する、(ii)記憶しているコンテンツデータの合計データ量（容量）が所定の量を超えたら最も早く記憶されたものを削除する、(iii)記憶しているコンテンツデータの合計データ量（容量）が所定の量を超えたら最も参照回数の少ないコンテンツデータを削除するなどが考えられる。【０１６７】
また、本発明のコンテンツデータ出力装置では、テレビ放送を出力可能となっており、上記テレビ放送のチャンネルのチャンネルリストには、上記コンテンツデータのリストも含まれており、上記テレビ放送のチャンネルの切り替えによってコンテンツデータが選択可能であることが好ましい。【０１６８】
上記構成によれば、テレビ放送のチャンネルリストには、上記コンテンツデータリストも含まれており、上記テレビ放送のチャンネルの切り替えによってコンテンツデータを選択可能となっている。そのため、従来のテレビ放送をがちゃがちゃと切り替える動作によって、テレビ放送のチャンネルの切り替えだけでなく、記憶させたコンテンツデータの切り替えも行うことができる。【０１６９】
また、本発明のコンテンツデータ出力装置では、上記コンテンツデータのリストの中からコンテンツデータを指定し、指定されたコンテンツデータが選択可能であることが好ましい。【０１７０】
上記構成によれば、ユーザは、テレビチャンネルとは別のチャンネルの切り替えによりコンテンツデータを選択することができる。それゆえ、コンテンツデータの枚数が多い場合に、迅速な切り替えを行うことができる。【０１７１】
また、本発明のコンテンツデータ出力装置では、上記コンテンツデータ受信手段は、コンテンツデータが発信された方向を判別するようになっていると共に、上記コンテンツデータ出力手段は、コンテンツデータを複数の方向に表示し分けることが可能となっており、コンテンツデータが発信された方向とは反対の方向にはコンテンツデータを提示しないようになっていることが好ましい。【０１７２】
上記構成によれば、上記コンテンツデータ受信手段は、コンテンツデータが発信された方向を判別するようになっていると共に、上記コンテンツデータ出力手段は、コンテンツデータを複数の方向に表示し分けることが可能となっており、コンテンツデータが発信された方向とは反対の方向にはコンテンツデータを提示しないようになっている。そのため、複数の方向から別々のデータを分けて視聴することができると共に、コンテンツデータを見たい人（コンテンツデータを送信した側にいる人）にのみコンテンツデータを提供することができる。【０１７３】
また、本発明のコンテンツデータ出力装置では、上記コンテンツデータ受信手段は、コンテンツデータが発信された方向を判別するようになっていると共に、上記コンテンツデータ出力手段は、コンテンツデータを複数の方向に表示し分けることが可能となっており、いずれの方向からも受信したコンテンツデータが見られるように、上記コンテンツデータを表示することが好ましい。【０１７４】
上記構成によれば、複数の方向から別々のデータを分けて視聴することができると共に、いずれかの方向から送信したコンテンツデータをいずれの方向からも視聴することができる。【０１７５】
また、本発明のテレビは、上記のいずれかのコンテンツデータ出力装置を備えてなることが好ましい。上記構成によれば、上記したいずれかのコンテンツデータ出力装置を備えたテレビを得ることができるので、コンテンツデータを手軽にテレビで視聴することができるだけでなく、上記の各効果をテレビに対しても有することができる。【０１７６】
また、本発明のコンテンツデータ出力プログラムは、上記のコンテンツデータ出力装置を動作させるためのコンテンツデータ出力プログラムであって、コンピュータを上記コンテンツデータ受信手段、およびコンテンツデータ制御手段として機能させることが好ましい。【０１７７】
また、本発明のコンテンツデータ出力装置では、上記コンテンツデータ記憶手段に、記憶されたコンテンツデータを管理するコンテンツデータリストを設けることが好ましい。【０１７８】
上記構成によれば、コンテンツデータ記憶手段に記憶されたコンテンツデータは、コンテンツデータリストとしてリスト形式で管理される。そのため、複数のコンテンツデータを記憶させた場合でも、簡単に参照することができる。例えば、受信順にコンテンツデータを記憶させている場合には、コンテンツデータリストに記憶されたコンテンツデータを順次切り替えることができる。【０１７９】
また、本発明のコンテンツデータ出力装置では、ビデオを再生可能となっており、該ビデオを再生中に、上記コンテンツデータを受信すると、上記ビデオの再生からコンテンツデータの出力に切り替える切替手段を有していることが好ましい。【０１８０】
上記構成によれば、ビデオ再生中に上記コンテンツデータを受信すると、上記ビデオの再生からコンテンツデータの出力に切り替える切替手段を有している。そのため、ビデオ再生中に、コンテンツデータを視聴するために、いちいち装置におけるソースの切り替えを行わず、かつ、ビデオを停止させずに、自動的にコンテンツデータを視聴することができる。【０１８１】
また、本発明のコンテンツデータ出力装置では、テレビ放送を出力可能となっており、該テレビ放送の出力中に、上記のコンテンツデータを受信すると、出力を上記テレビ放送のチャンネルからコンテンツデータの出力を行うためのコンテンツデータチャンネルに切り替える切替手段を有していることが好ましい。【０１８２】
上記構成によれば、コンテンツデータを受信すると、自動的にテレビ放送のチャンネルからコンテンツデータチャンネルに切り替える切替手段を有している。そのため、テレビ放送中に、いちいち装置におけるソースの切り替えを行わず、自動的にコンテンツデータを視聴することができる。【０１８３】
本発明のコンテンツデータ出力装置は、以上のように、コンテンツデータを受信するコンテンツデータ受信手段と、該コンテンツデータ受信手段にて受信したコンテンツデータを記憶させて、該記憶させたコンテンツデータを、他のデータよりも優先的に出力するように制御するコンテンツデータ制御手段と、を備えている。従って、単にコンテンツデータをコンテンツデータ出力装置に向かって送信するだけで、何らコンテンツデータ出力装置側の操作をすることなく、かつ、いちいちコンテンツデータを送信する側の装置とコンテンツデータ出力装置とを互いに接続する必要もなくコンテンツデータの出力を行うことができる。【０１８４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１８５】
データ出力装置は、大画面テレビ、ＤＶＤレコーダ、ＨＤＤレコーダなどに特に好適に利用することができる。
【図１】
0004828547.tif 000002
【図２（ａ）】
0004828547.tif 000003
【図２（ｂ）】
0004828547.tif 000004
【図３（ａ）】
0004828547.tif 000005
【図３（ｂ）】
0004828547.tif 000006
【図３（ｃ）】
0004828547.tif 000007
【図４（ａ）】
0004828547.tif 000008
【図４（ｂ）】
0004828547.tif 000009
【図４（ｃ）】
0004828547.tif 000010
【図５】
0004828547.tif 000011
【図６】
0004828547.tif 000012
【図７】
0004828547.tif 000013
【図８】
0004828547.tif 000014
【図９】
0004828547.tif 000015
【図１０】
0004828547.tif 000016
【図１１（ａ）】
0004828547.tif 000017
【図１１（ｂ）】
0004828547.tif 000018
【図１２】
0004828547.tif 000019
【図１３】
0004828547.tif 000020
【図１４】
0004828547.tif 000021
【図１５】
0004828547.tif 000022
【図１６（ａ）】
0004828547.tif 000023
【図１６（ｂ）】
0004828547.tif 000024
【図１６（ｃ）】
0004828547.tif 000025
【図１７】
0004828547.tif 000026
【図１８】
0004828547.tif 000027
【図１９（ａ）】
0004828547.tif 000028
【図１９（ｂ）】
0004828547.tif 000029
【図２０（ａ）】
0004828547.tif 000030
【図２０（ｂ）】
0004828547.tif 000031
【図２０（ｃ）】
0004828547.tif 000032
【図２１（ａ）】
0004828547.tif 000033
【図２１（ｂ）】
0004828547.tif 000034
【図２１（ｃ）】
0004828547.tif 000035
【図２１（ｄ）】
0004828547.tif 000036
【図２１（ｅ）】
0004828547.tif 000037
【図２１（ｆ）】
0004828547.tif 000038
【図２２】
0004828547.tif 000039